(57)【要約】【課題】空気調和機内部に生じた結露水を確実に処理することにより、結露水の本体からの飛び出しに対する信頼性を向上すること。【解決手段】空気調和機のスクロール２内部に左右に延びる凸状のリブを１本もしくは複数本設けることにより、スクロール２内に結露した水はスクロール２を伝わって前方に流れ出ようとするが、スクロール２内部にリブ４ａ、４ｂがあるため、そこで一旦水が停滞、もしくは勢いを無くすためグリル１外部に結露水が飛び出すことなく確実に水回収部３に導くことが出来、結露水の本体からの飛び出しに対する信頼性が向上できる。【選択図】図１
2007120833.tif 000002
【特許請求の範囲】
【請求項１】
スクロールと一体形成される台枠と、吹出し部と、外郭を形成するグリルを有し、前記スクロール内部に左右に延びる凸状のリブを１本もしくは複数本設けることを特徴とする空気調和機。
【請求項２】
リブは、スクロール内部のほぼ左右全幅にわたって設けられることを特徴とする請求項１に記載の空気調和機。
【請求項３】
リブは、横断面略三角形状に形成されてなることを特徴とする請求項１または２に記載の空気調和機。
【請求項４】
リブは、吹出し方向に向かって吹出風が上昇するような横断面略三角形状に形成されてなることを特徴とする請求項３に記載の空気調和機。
【請求項５】
リブはスクロールと一体成形されていることを特徴とする請求項１〜４のいずれか１項に記載の空気調和機。
【請求項６】
スクロール内部に左右に延びる溝を１本もしくは複数本設けることを特徴とする請求項１〜５のいずれか１項に記載の空気調和機。
【発明の詳細な説明】
【技術分野】
【０００１】
本発明は結露水処理機構を有する空気調和機に関するものである。
【背景技術】
【０００２】
従来、この種の空気調和機は、冷房運転時に発生する結露水の処理としてスクロール内で発生した水をグリル外部に出さないために、グリル内に水回収部を設けている（例えば、特許文献１参照）。
【０００３】
図３は、特許文献１に記載された従来の空気調和機の要部断面図を示すものである。図３に示すように、グリル１と、スクロール２と、水回収部３と、吹出し部７と、ファンケース６から構成されている。冷房時の使用条件によっては、左右羽根（図示せず）やスクロール２が冷却され、発生した結露水がスクロール２を伝い、スクロール２前縁とグリル１との間に設けた水回収部３に入り、吸水材（図示せず）等に吸水・保水される露処理機構がとられている。
【特許文献１】特開平７−１５８８８０号公報
【発明の開示】
【発明が解決しようとする課題】
【０００４】
しかしながら、前記従来の構成では、発生した結露水を回収する水回収部は、スクロール前縁より前方にあるグリルとの隙間に水を回収する機構になっているが、スクロールの奥にある構造物に付着した結露水は重力等に付勢されスクロールを伝わって前方へ流れるため下方にある水回収部に入り込まず、グリル外部に飛び出してしまい、ユーザや室内に結露水がかかることがあるという課題を有していた。
【０００５】
本発明は、前記従来の課題を解決するもので、結露水をグリル内部に確実に回収する空気調和機を提供することを目的とする。
【課題を解決するための手段】
【０００６】
前記従来の課題を解決するために、本発明の空気調和機は、スクロール内部に左右に延びる凸状のリブを１本もしくは複数本設けるものである。
【０００７】
これによって、スクロール内に結露した水はスクロールを伝わって前方に流れ出ようとするが、スクロール内部にリブがあるため、そこで一旦水が停滞、もしくは勢いを無くすためグリル外部に結露水が飛び出すことなく確実に水回収部に導くことが出来るようになる。
【発明の効果】
【０００８】
本発明の空気調和機は、スクロールに加工簡易な形状を施すことにより、安価にスクロール内部で発生した結露水の本体からの飛び出しに対する信頼性を向上させ、ユーザや室内に結露水がかかることを防止する信頼性の高い空気調和機を提供することができる。
【０００９】
また、スクロール内部にリブを形成しているため、室内空気の巻き込みを防止することによって、冷房運転時のグリル等への結露の発生をも防止できる。更には、スクロール内部へのリブ形成という目立たない構成となり空気調和機本体の意匠性の向上を図ることができる。
【発明を実施するための最良の形態】
【００１０】
第１の発明は、スクロールと一体形成される台枠と、吹出し部と、外郭を形成するグリルを有し、スクロール内部に左右に延びる凸状のリブを１本もしくは複数本設けることにより、スクロールを伝わって前方に流れ出ようとする結露水はリブによってそこで一旦停滞もしくは勢いを無くすため、本体の前方のグリル外部に水が飛び出すことなく確実に水回収部に導くことが出来るようになる。また、スクロール内部にリブを形成していることにより、吹出風の剥離を防止できるため、冷房運転時グリル等への結露の発生を低減できると共に、目立たない構成となり室内本体の意匠性の向上を図ることができる。
【００１１】
第２の発明は、特に、第１の発明のリブを、スクロール内部のほぼ左右全幅にわたって設けることにより、スクロール内の何処に結露しても本体の前方のグリル外部に水が飛び出すことなく確実に水回収部に導くことが出来るようになる。
【００１２】
第３の発明は、特に、第１または第２の発明のリブを、横断面略三角形状に形成することにより、冷房運転時、吹出風がリブに沿って吹出される為、冷風感防止となり快適性を向上することができる。
【００１３】
第４の発明は、特に、第３の発明のリブを、吹出し方向に向かって吹出風が上昇するような横断面略三角形状に形成することにより、冷房運転時、吹出風がリブに沿って吹出される為、冷風感防止となりより快適性を向上することができる。
【００１４】
第５の発明は、特に、第１〜４のいずれか１つの発明のリブをスクロールと一体成形することにより、加工手間や接着剤等の材料が不要であるため安価に精度よく作成することができる。
【００１５】
第６の発明は、特に、第１〜５のいずれか１つの発明のスクロール内部に、左右に延びる溝を１本もしくは複数本設けることにより、スクロール内に発生した水は一旦、溝に貯水され、満水になればゆっくりとスクロールを伝わって、本体の前方のグリル外部に水が飛び出すことなく確実に水回収部に導くことが出来るようになるので、結露水の処理能力が向上する。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の要部断面図、図２は、本発明の第１の実施の形態における空気調和機の要部平面図を示すものである。
【００１８】
図１、２において、ファンケース６に取り付けられたクロスフローファン（図示せず）によって、吸込み口（図示せず）から吸込まれた室内空気は、スクロール２と一体形成された台枠９と外郭を形成するグリル１からなる室内機内部で熱交換され、スクロール２に沿って吹出し部７から室内に吹出され、室内温度を制御するようになっている。
【００１９】
熱交換の際、特に冷房時などに温度差によって空気調和機内部、例えばファンケース６等に結露が生じ、溜まった結露水はスクロール２を伝って前方に向かって流れ、グリル１とスクロール２の合わせ部に設けられた、スクロール２より下方にある水回収部３に入り、吸水材（図示せず）等に吸水・保水されて水処理が行われる。
【００２０】
結露水が流れるスクロール２には左右に延びる吹出し方向に向かって吹出風が上昇するような横断面略三角形状のリブ４ａ、４ｂ及び左右に延びる溝５ａ、５ｂが設けられている。リブ４ａは、スクロール２の両端即ちファンケース６近傍のみに設けられ、リブ４ｂ
はスクロール２内部のほぼ左右全幅にわたって設けられている。リブ４ａ、４ｂは共にスクロール２と一体成形されている。
【００２１】
以上のように構成された空気調和機について、以下その動作、作用を説明する。
【００２２】
まず、空気調和機内部に生じ溜まった結露水は、重力や吹出風等に付勢されスクロール２を伝わって前方に流れ出ようとするが、リブ４ａ、４ｂがあるため、一旦水が停滞もしくは勢いを無くし、更に溝５ａ、５ｂで貯水されて満水になれば少量ずつ前方に流れ出すため、本体の前方に水が飛び出すことなく確実に水回収部３に導かれ、水処理が行われるようになる。
【００２３】
また、リブ４ａ、４ｂをスクロール２内部に形成していることにより、吹出風の剥離を防止できるため、冷房運転時グリル１等への結露の発生を低減できると共に、グリル１外から目立たない構成となり室内本体の意匠性の向上を図ることができる。
【００２４】
ファンケース６は構造上、その内部に結露水が貯留されやすく、ある程度貯留してから流れることになり易いので、その近傍にのみリブ４ａを設けることで、より結露水の飛び出しを防ぐことができる。
【００２５】
リブ４ｂをスクロール２内部のほぼ左右全幅にわたって設けることで、スクロール２内の何処に結露してもより確実に飛び出しを防ぐことができる。
【００２６】
リブ４ａ、４ｂは共にスクロール２と一体成形されているので、加工手間や接着剤等の材料が不要であるため安価に精度よく作成することができる。
【００２７】
また、溝５ａ、５ｂを設けることで、溝自身も貯水が可能なので少量の結露水であれば、水回収部３を利用しなくても、そのまま蒸発等による結露水処理が可能なので、保水材等の追加なく安価に結露水の処理能力が向上できる。
【００２８】
更に、リブ４ａ、４ｂの横断面形状を、吹出し方向に向かって吹出風が上昇するような略三角形状とすることによって吹出風がリブ４に沿って吹出される為、冷房運転時に直接居住者に冷風が当たらず、冷風感防止となり、快適性が向上する。
【００２９】
以上のように、本実施の形態においてはスクロール一体形成する台枠と、吹出し部と、外郭を形成するグリルを有し、スクロール内部に左右に延びる凸状のリブを１本もしくは複数本設けることにより、スクロールを伝わって前方に流れ出ようとする結露水はリブによってそこで一旦停滞もしくは勢いを無くすため、本体の前方のグリル外部に水が飛び出すことなく確実に水回収部に導くことが出来るようになる。また、スクロール内部にリブを形成していることにより、吹出風の剥離を防止できるため、冷房運転時グリル等への結露の発生を低減できると共に、目立たない構成となり室内本体の意匠性の向上を図ることができる。
【００３０】
また、本実施の形態ではリブを、スクロール内部のほぼ左右全幅にわたって設けることにより、スクロール内の何処に結露しても本体の前方のグリル外部に水が飛び出すことなく確実に水回収部に導くことが出来るようになる。
【００３１】
また、本実施の形態ではリブを、横断面略三角形状に形成することにより、冷房運転時、吹出風がリブに沿って吹出される為、冷風感防止となり快適性を向上することができる。
【００３２】
また、本実施の形態ではリブを、吹出し方向に向かって吹出風が上昇するような横断面略三角形状に形成することにより、冷房運転時、吹出風がリブに沿って吹出される為、冷風感防止となりより快適性を向上することができる。
【００３３】
また、本実施の形態ではリブをスクロールと一体成形することにより、加工手間や接着剤等の材料が不要であるため安価に精度よく作成することができる。
【００３４】
また、本実施の形態ではスクロール内部に、左右に延びる溝を１本もしくは複数本設けることにより、スクロール内に発生した水は一旦、溝に貯水され、満水になればゆっくりとスクロールを伝わって、本体の前方のグリル外部に水が飛び出すことなく確実に水回収部に導くことが出来るようになるので、結露水の処理能力が向上する。
【産業上の利用可能性】
【００３５】
以上のように、本発明にかかる空気調和機は、スクロールに加工簡易な形状を施すことにより、安価にスクロール内部で発生した結露水の本体からの飛び出しに対する信頼性を向上させることが可能となるので、結露水の飛び出しが生じ得る除湿機、換気扇等の用途にも適用できる。
【図面の簡単な説明】
【００３６】
【図１】本発明の実施の形態１における空気調和機の要部断面図
【図２】本発明の実施の形態１における空気調和機の要部平面図
【図３】従来の空気調和機の要部断面図
【符号の説明】
【００３７】
１  グリル
２  スクロール
３  水回収部
４ａ、４ｂ  リブ
５ａ、５ｂ  溝
６  ファンケース
７  吹出し部
８  吹出風
９  台枠
【図１】
2007120833.tif 000003
【図２】
2007120833.tif 000004
【図３】
2007120833.tif 000005